(57)【要約】      （修正有）【課題】利用者が手書き情報を入力する際の操作性を低下させない。【解決手段】手書きされた所定の情報を表示するための第１の表示部を有した情報機器と、所定の情報を表示するための第２の表示部を有した他の情報機器との通信が可能な情報処理システムであって、情報機器は、操作者から所定の情報の入力を受け付ける第１の入力部と、所定の情報の縮小操作を受け付ける第１の縮小入力部と、所定の情報についての縮小情報を記憶する記憶部と、入力された所定の情報を、第１の通信部を介して他の情報機器に送信し、他の情報機器は、情報機器から第２の通信部を介して所定の情報を受信する第２の入力部と、情報機器から第２の通信部を介して縮小情報を受信する第２の縮小入力部と、所定の情報を受信した場合に、所定の情報を第２の表示部に表示させ、縮小情報を受信した場合に、縮小情報に基づいて情報を縮小し第２の表示部に表示させる第２の制御部と、を備える。【選択図】図４
2013120470.tif 000002
【特許請求の範囲】
【請求項１】
手書きされた所定の情報を表示するための第１の表示部を有した情報機器と、前記所定の情報を表示するための第２の表示部を有した他の情報機器との通信が可能な情報処理システムであって、
前記情報機器は、
操作者から前記所定の情報の入力を受け付ける第１の入力部と、
前記所定の情報の縮小操作を受け付ける第１の縮小入力部と、
前記所定の情報についての縮小情報を記憶する記憶部と、
入力された前記所定の情報を、第１の通信部を介して前記他の情報機器に送信し、または前記縮小操作が受け付けられた場合に、前記縮小情報を、前記第１の通信部を介して前記他の情報機器に送信する出力部と、
入力された前記所定の情報を前記第１の表示部に表示させ、または記憶された前記縮小情報に基づいて前記所定の情報を縮小して前記第１の表示部に表示させる第１の制御部と、を備え、
前記他の情報機器は、
前記情報機器から第２の通信部を介して前記所定の情報を受信する第２の入力部と、
前記情報機器から前記第２の通信部を介して前記縮小情報を受信する第２の縮小入力部と、
前記情報機器から前記所定の情報を受信した場合に、受信した前記所定の情報を前記第２の表示部に表示させ、または前記情報機器から前記縮小情報を受信した場合に、前記縮小情報に基づいて前記所定の情報を縮小して前記第２の表示部に表示させる第２の制御部と、
を備えることを特徴とする情報処理システム。
【請求項２】
前記情報機器は、前記所定の情報を縮小させるか否かを記憶する判定テーブルをさらに備え、
前記第１の制御部は、前記判定テーブルに前記所定の情報を縮小させる情報が記憶されていない場合、前記判定テーブルを前記所定の情報を縮小させる情報に更新した上で、前記所定の情報を縮小して前記第１の表示部に表示させ、
前記出力部は、前記第１の制御部が前記判定テーブルを前記所定の情報を縮小させる情報に更新した場合に、前記縮小情報を前記他の情報機器に送信する、
ことを特徴とする請求項１に記載の情報処理システム。
【請求項３】
前記情報機器の前記記憶部は、入力された前記所定の情報のサイズを記憶し、
前記第１の制御部は、前記所定の情報が縮小された後、前記所定の情報を前記サイズの大きさに戻す、
ことを特徴とする請求項１または２に記載の情報処理システム。
【請求項４】
前記情報機器および前記他の情報機器はＰＤＡ（Personal  Digital  Assistant）から構成される、
ことを特徴とする請求項１〜３のいずれか１項に記載の情報処理システム。
【請求項５】
手書きされた所定の情報を表示するための第１の表示部を有した情報機器と、前記所定の情報を表示するための第２の表示部を有した他の情報機器との通信が可能な情報処理システムで行われる情報処理方法であって、
操作者から前記所定の情報の入力を受け付ける第１の入力ステップと、
前記所定の情報の縮小操作を受け付ける第１の縮小入力ステップと、
入力された前記所定の情報を、第１の通信部を介して前記他の情報機器に送信する入力送信ステップと、
前記縮小操作が受け付けられた場合に、記憶部に記憶された前記所定の情報についての縮小情報を、前記第１の通信部を介して前記他の情報機器に送信する縮小送信ステップと、
入力された前記所定の情報を前記第１の表示部に表示させる第１の入力表示ステップと、
前記縮小情報に基づいて前記所定の情報を縮小して前記第１の表示部に表示させる第１の縮小表示ステップと、
前記情報機器から第２の通信部を介して前記所定の情報を受信する第２の入力ステップと、
前記情報機器から前記第２の通信部を介して前記縮小情報を受信する第２の縮小入力ステップと、
前記情報機器から前記所定の情報を受信した場合に、受信した前記所定の情報を前記第２の表示部に表示させる第２の入力表示ステップと、
前記情報機器から前記縮小情報を受信した場合に、前記縮小情報に基づいて前記所定の情報を縮小して前記第２の表示部に表示させる第２の縮小表示ステップと、
を含むことを特徴とする情報処理方法。
【発明の詳細な説明】
【技術分野】
【０００１】
本発明は、手書き情報の入力が可能な入力表示部を有した情報処理システム、および情報処理方法に関するものである。
【背景技術】
【０００２】
タブレットＰＣやスマートフォンなどの情報機器端末が世の中に普及したことにより、現在では情報機器端末間のデータの受け渡しが多種多様に存在する。例えば、ある情報機器端末Ａが手書き情報の入力を受け付けた場合、他の情報機器端末Ｂが補足の手書き情報の入力を受け付けて情報機器端末Ａを補助する場合、あるいは情報機器端末Ａと情報機器端末Ｂが遠距離にあり、情報機器端末Ａの手書き情報をリアルタイムに情報機器端末Ｂに出力したり、さらには情報機器端末Ｂの手書き情報をリアルタイムに情報機器端末Ａに出力する等の様々なケースが存在する。
【０００３】
このような手書き情報をチャットのように使用する場合、情報機器端末の数が多くなるにつれて入力エリアが不足する問題が生じ得る。これは、情報機器端末Ａと情報機器端末Ｂが一つの入力エリアに相互に手書き情報を入力するためであり、情報機器端末Ａおよび情報機器端末Ｂの入力エリアが不足した場合、情報機器端末Ａまたは情報機器端末Ｂで書いた手書き情報を消した上で同じ手書き情報を小さく書き直す、あるいは情報機器端末Ａまたは情報機器端末Ｂで書いた手書き情報を消した上で入力エリアを確保するのが一般的に行われている（例えば、特許文献１〜３）。
【先行技術文献】
【特許文献】
【０００４】
【特許文献１】特開２００４−３２６１７６号公報
【特許文献２】特開２００９−１１６４７６号公報
【特許文献３】特開２０１０−０２２０４４号公報
【発明の概要】
【発明が解決しようとする課題】
【０００５】
上述した従来技術では、例えば、入力エリアが不足した場合、入力エリアを縮小させることにより、その不足を解消させることが可能である。入力エリアを縮小させるので、新しい入力エリアが余白として生成される。既に入力エリアに記入済みの手書き情報は、入力エリアが縮小された際に、座標値を再計算することで手書き情報の欠落を防いでいる。また、情報機器端末間で相互に手書き情報を入力している場合には、新しい入力エリアが余白としてできたタイミングで電文を送出し情報機器端末間で、両者の同期をとっている。
【０００６】
しかしながら、上述した従来技術では、情報機器端末同士で相互に手書き情報を入力してチャットのように使用しなければならない場合、例えば、情報機器端末Ａまたは情報機器端末Ｂで書いた手書き情報を消して小さく書き直したり、あるいは情報機器端末Ａまたは情報機器端末Ｂで書いた手書き情報の内容を覚えておかなければならないという問題がある。
【０００７】
すなわち、上述した情報機器端末を利用する場合、「書いた手書き情報を一度消して小さく書き直す」こと、「書いた手書き情報の内容を覚えておかなければならない」こと、あるいは「手書き情報の入力および削除時に、情報機器端末Ａと情報機器端末Ｂでリアルタイムに同期をとらなければならない」こと等、情報機器端末の入力操作やこれに付随する操作について煩わしさを伴い、利用者にとって操作性が低いものとなっていた。
【０００８】
本発明は、上記に鑑みてなされたものであって、利用者が手書き情報を入力する際の操作性を低下させることのない情報処理システム、および情報処理方法を提供することを目的とする。
【課題を解決するための手段】
【０００９】
上述した課題を解決し、目的を達成するために、本発明にかかる情報処理システムは、手書きされた所定の情報を表示するための第１の表示部を有した情報機器と、前記所定の情報を表示するための第２の表示部を有した他の情報機器との通信が可能な情報処理システムであって、前記情報機器は、操作者から前記所定の情報の入力を受け付ける第１の入力部と、前記所定の情報の縮小操作を受け付ける第１の縮小入力部と、前記所定の情報についての縮小情報を記憶する記憶部と、入力された前記所定の情報を、第１の通信部を介して前記他の情報機器に送信し、または前記縮小操作が受け付けられた場合に、前記縮小情報を、前記第１の通信部を介して前記他の情報機器に送信する出力部と、入力された前記所定の情報を前記第１の表示部に表示させ、または記憶された前記縮小情報に基づいて前記所定の情報を縮小して前記第１の表示部に表示させる第１の制御部と、を備え、前記他の情報機器は、前記情報機器から第２の通信部を介して前記所定の情報を受信する第２の入力部と、前記情報機器から前記第２の通信部を介して前記縮小情報を受信する第２の縮小入力部と、前記情報機器から前記所定の情報を受信した場合に、受信した前記所定の情報を前記第２の表示部に表示させ、または前記情報機器から前記縮小情報を受信した場合に、前記縮小情報に基づいて前記所定の情報を縮小して前記第２の表示部に表示させる第２の制御部と、を備えることを特徴とする。
【００１０】
また、本発明は、上記情報処理システムで行われる情報処理方法である。
【発明の効果】
【００１１】
本発明によれば、利用者が手書き情報を入力する際の操作性を低下させることのない情報処理システム、および情報処理方法を提供することができるという効果を奏する。
【図面の簡単な説明】
【００１２】
【図１】本実施の形態における情報処理システムの構成を示す図である。
【図２Ａ】第１の情報機器端末が、ユーザから所定の情報として手書き情報の入力を受け付けた場合の処理の流れを示すイメージ図である。
【図２Ｂ】第１の情報機器端末が、ユーザから手書き情報の縮小操作を受け付けた場合の処理の流れを示すイメージ図である。
【図２Ｃ】第１の情報機器端末が、ユーザから所定の情報として手書き情報の入力を受け付けた場合の処理の流れを示すイメージ図である。
【図２Ｄ】第１の情報機器端末が、ユーザから手書き情報の縮小操作を受け付けた場合の処理の流れを示すイメージ図である。
【図３】本実施の形態における情報処理システムにおいて行われる手書き入力処理の処理手順を示すフローチャートである。
【図４】本実施の形態における情報処理システムにおいて行われる縮小入力処理の処理手順を示すフローチャートである。
【発明を実施するための形態】
【００１３】
以下に添付図面を参照して、本発明にかかる情報処理システム、および情報処理方法の実施の形態を詳細に説明する。
【００１４】
図１は、本実施の形態における情報処理システム１０００の構成を示す図である。図１に示すように、情報処理システム１０００は、第１の情報機器端末１００と、第２の情報機器端末２００と、を有して構成されている。なお、以下では、情報処理システム１０００は、上述した２つの端末を有しているものとして説明しているが、上記端末と同様の端末を３台以上有している場合にも適用することができる。
【００１５】
図１に示すように、第１の情報機器端末１００は、携帯性を有した端末（例えば、ＰＤＡ（Personal  Digital  Assistant））であり、入力部１０１と、入力縮小部１０２と、出力部１０３と、記憶部１０４と、通信部１０５と、制御部１０６とを有して構成されている。
【００１６】
入力部１０１は、例えば、タッチパネルであり、ユーザからの操作により所定の情報（例えば、手書き情報）を受け付けたり、その情報の縮小操作を受け付け、その操作結果を表示するものである。入力縮小部１０２は、例えば、タッチパネルに設けられた縮小ボタンであり、入力部１０１が受け付けた情報を所定の倍率に縮小した縮小情報を生成するものである。出力部１０３は、上述した所定の情報や縮小情報を出力するものである。記憶部１０４は、入力部１０１が受け付けた情報を記憶するものである。通信部１０５は、第２の情報機器端末２００との間で通信するものである。制御部１０６は、上述した各部の動作を制御するものである。なお、第２の情報機器端末２００も、第１の情報機器端末１００と同様の構成を有している。
【００１７】
図２Ａ、図２Ｃは、第１の情報機器端末１００が、ユーザから所定の情報として手書き情報の入力を受け付けた場合の処理の流れを示すイメージ図である。図２Ａに示すように、第１の情報機器端末１００は、入力部１０１がユーザから手書き情報の入力を受け付けると、入力部１０１は、受け付けた手書き情報を記憶部１０４に出力するとともに、その手書き情報と手書き情報の出力指示とを出力部１０３に出力する。そして、記憶部１０４は、入力部１０１から受け取った手書き情報を保存し、出力部１０３は、入力部１０１から受け取った手書き情報を、出力指示に従って出力する。
【００１８】
そして、図２Ｃに示すように、通信部１０５は、記憶部１０４が保存した手書き情報を他の情報機器端末である第２の情報機器端末２００に送信し、第２の情報機器端末２００は、通信部２０５が、第１の情報機器端末１００から手書き情報を受信すると、その手書き情報を記憶部２０４に記憶させる。続いて、手書き情報を縮小する場合について説明する。
【００１９】
図２Ｂ、図２Ｄは、第１の情報機器端末１００が、ユーザから手書き情報の縮小操作を受け付けた場合の処理の流れを示すイメージ図である。図２Ｂに示すように、第１の情報機器端末１００は、入力部１０１がユーザから縮小ボタンの押下を受け付けると、入力部１０１は、受け付けた縮小情報（例えば、手書き情報を入力した画面のサイズや縮小割合等の情報）を制御部１０６に出力するとともに、その縮小情報と縮小情報の出力指示とを出力部１０３に出力する。そして、制御部１０６は、入力部１０１から縮小情報を受け取ると、入力部１０１の状態を保持する。出力部１０３は、入力部１０１から出力指示を受け取ると、入力部１０１から受け取った縮小情報に従って、制御部１０６が保持する入力部１０１の状態を変化させて、縮小入力部１０２として出力する。
【００２０】
そして、図２Ｄに示すように、通信部１０５は、制御部１０６が保持した縮小情報を第２の情報機器端末１００に送信し、第２の情報機器端末２００は、通信部２０５が、第２の情報機器端末２００から縮小情報を受信すると、その縮小情報を制御部２０６に保持させる。その後、制御部２０６は、縮小情報に従って、入力部２０１の状態を変化させて縮小入力部２０２として出力する。続いて、情報処理システム１０００において行われる処理について説明する。
【００２１】
図３は、情報処理システム１０００において行われる手書き入力処理の処理手順を示すフローチャートである。図３に示すように、まず、ユーザが第１の情報機器端末１００の入力部１０１に手書き入力し、入力部１０１がその手書き情報を受け付けると（ステップＳ３０１）、その手書き情報を出力し（ステップＳ３０２）、制御部１０６は、その手書き情報が記憶部１０４に保存されたか否かを判定する（ステップＳ３０３）。
【００２２】
そして、制御部１０６は、その手書き情報が記憶部１０４に保存されていないと判定した場合（ステップＳ３０３；Ｎｏ）、入力部１０１にその手書き情報を記憶部１０４に出力させ（ステップＳ３０４）、記憶部１０４にその手書き情報を保存させる（ステップＳ３０５）。
【００２３】
一方、制御部１０６は、その手書き情報が記憶部１０４に保存されていると判定した場合（ステップＳ３０３；Ｙｅｓ）、ステップＳ３０６に進み、その手書き情報を出力部１０３に出力し（ステップＳ３０６）、出力部１０３がその手書き情報を出力し、通信部１０５、および第２の情報機器端末２００の通信部２０５を介して、その手書き情報を第２の情報機器端末２００に送信し、その後、第２の情報機器端末２００の記憶部１０４に記憶されたその手書き情報を、第２の情報機器端末２００の入力部１０１が取得し、画面等に表示させる（ステップＳ３０７）。このステップＳ３０７の処理が終了すると、図３に示した手書き入力処理の全ての処理が終了する。続いて、情報処理システム１０００において行われる縮小入力処理について説明する。
【００２４】
図４は、情報処理システム１０００において行われる縮小入力処理の処理手順を示すフローチャートである。図４に示すように、ユーザが第１の情報機器端末１００の縮小入力部１０２を押下し、縮小入力部１０２がその押下を受け付けると（ステップＳ４０１）、入力されている手書き情報の縮小情報を出力し（ステップＳ４０２）、制御部１０６は、その縮小情報が記憶部１０４に保存されたか否かを判定する（ステップＳ４０３）。
【００２５】
そして、制御部１０６は、その縮小情報が記憶部１０４に保存されていないと判定した場合（ステップＳ４０３；Ｎｏ）、入力部１０１にその縮小情報を記憶部１０４に出力させ（ステップＳ４０４）、縮小すべきか否かを示す不図示の内部テーブルの値が「１」かであるか否かを判定する（ステップＳ４０５）。この内部テーブルは、それぞれの情報機器端末が有する不図示のメモリに記憶され、制御部１０６（または制御部２０６）は、縮小情報を受け取った場合、その内部テーブルの値を「１」にセットするものである。なお、縮小情報を受け取っていない場合には、非縮小状態（標準状態）を意味する「０」がセットされている。
【００２６】
制御部１０６は、内部テーブルの値が「１」であると判定した場合（ステップＳ４０５；Ｙｅｓ）、手書き情報が既に縮小状態にあると判断し何もせず（ステップＳ４０８）、ステップＳ４０３に戻って以降の処理を繰り返す。
【００２７】
一方、制御部１０６は、内部テーブルの値が「１」でないと判定した場合（ステップＳ４０５;Ｎｏ）、通信部１０５、および第２の情報機器端末２００の通信部２０５を介して、ステップＳ４０４で出力された縮小情報を第２の情報機器端末２００に送信する（ステップＳ４０６）。
【００２８】
そして、ステップＳ４０６の処理が終了すると、第１の情報機器端末１００の制御部１０６は、上述した内部テーブルの値を「１」に書き換え（ステップＳ４０７）、ステップＳ４０３に戻って以降の処理を繰り返すとともに、第２の情報機器端末２００は、第１の情報機器端末１００から受信し、第２の情報機器端末２００の記憶部２０４に記憶されたその縮小情報を、第２の情報機器端末２００の縮小入力部２０２が取得し、手書き情報を縮小状態に変化させて画面等に表示させる（ステップＳ４０９）。
【００２９】
ステップＳ４０３において、制御部１０６は、その縮小情報が記憶部１０４に保存されていると判定した場合（ステップＳ４０３；Ｙｅｓ）、制御部１０６は入力部１０１に縮小情報を出力した後（ステップＳ４１０）、縮小入力部１０２が取得し、手書き情報を縮小状態に変化させて画面等に表示させる（ステップＳ４１１）。ステップＳ４０９およびＳ４１１の処理が終了すると、図４に示した縮小情報入力処理の全ての処理が終了する。
【００３０】
このように、入力部は手書き情報の入力を受け付け、縮小入力部は縮小ボタンの押下を受け付け、これらの手書き情報や縮小情報が記憶部に記憶され、出力部は手書き情報および縮小情報を出力（表示）し、制御部は情報機器端末の入力エリアの状態を保持し、入力エリアを縮小した場合、他の情報機器端末に電文を送出しているので、情報機器端末が相互に手書き情報を入力する際、入力エリアが不足した場合に、入力エリアを縮小し余白を作り新たに入力エリアを設けることで手書き情報の追記が可能になり、リンクされた２つの情報機器端末を用いた手書き入力時の手書き情報をリアルタイムに同期させて入力エリアを拡大し、情報機器端末間で相互入力の操作性向上を期待することが出来る。
【００３１】
なお、本実施の形態では、手書き情報を縮小する場合についてのみ説明しているが、例えば、入力された手書き情報のサイズをメモリ等の記憶媒体に記憶しておき、一旦縮小した手書き情報を、記憶したサイズにしたがって元の状態に戻すこととしてもよい。この場合、例えば、チャットしているユーザ数が少なくなっても、ユーザ数に応じてより効果的に手書き情報を表示させることができる。
【符号の説明】
【００３２】
１０００        情報処理システム
１００          第１の情報機器端末
２００          第２の情報機器端末
１０１、２０１  入力部
１０２、２０２  入力縮小部
１０３、２０３  出力部
１０４、２０４  記憶部
１０５、２０５  通信部
１０６、２０６  制御部。
【図１】
2013120470.tif 000003
【図２Ａ】
2013120470.tif 000004
【図２Ｂ】
2013120470.tif 000005
【図２Ｃ】
2013120470.tif 000006
【図２Ｄ】
2013120470.tif 000007
【図３】
2013120470.tif 000008
【図４】
2013120470.tif 000009